(57)【特許請求の範囲】
【請求項１】
被梱包物を梱包する外装や緩衝材を一枚のダンボールで形成した梱包装置において、前記外装の底部の四方の側面の対向する一方の面に左右の側部と、対向する他方の面に前部と背部を形成し、同背部に連続して天部とフラップが設けられ、前記側部の前部側の側面には、側部の側面と長さが等しい複数の面からなる第一の緩衝部が折り目線を介して連続して設けられ、背部側の側面には、略Ｌ字形で、その内角から前記側部に向かうカッティング線により分離され、側部の側面と長さが等しい複数の面と、カッティング線で分離された側面の天部側に連続して設けられる複数の面で形成される第二の緩衝部と、側部の側面と長さが等しい複数の面と、カッティング線で分離された側面の底部側に連続して設けられる複数の面で形成される第三の緩衝部とが、それぞれ折り目線を介して連続して設けられており、前記各部を折り曲げて、前記前部と前記第一の緩衝部および前記背部と前記第二の緩衝部とをそれぞれ固着することにより形成してなることを特徴とする梱包装置。
【請求項２】
前記第一の緩衝部と前記第二の緩衝部を、前記被梱包物の前後方向の緩衝部とし、前記第三の緩衝部を、前記被梱包物の上下方向の緩衝部としてなることを特徴とする請求項１記載の梱包装置。
【請求項３】
前記第二の緩衝部は側部の天部側に配置され、前記第三の緩衝部は側部の底部側に配置されていることを特徴とする請求項１乃至２記載の梱包装置。
【請求項４】
前記第一の緩衝部と前記第三の緩衝部を合わせた前後方向の長さを、前記底部、天部及び側部の前後方向の長さと等しくしたことを特徴とする請求項１乃至３記載の梱包装置。
【請求項５】
前記第二の緩衝部の前後方向の長さを、第三の緩衝部の前後方向の長さより短くしたことを特徴とする請求項１乃至４記載の梱包装置。
【請求項６】
前記第一、第二および第三の緩衝部は、角筒状に形成されていることを特徴とする請求項１乃至５記載の梱包装置。
【請求項７】
前記第一の緩衝部および第二の緩衝部を付属品収納箱としたことを特徴とする請求項１乃至６記載の梱包装置。
【発明の詳細な説明】
【０００１】
【発明の属する技術分野】
本発明は、梱包装置に関し、より詳しくは空気調和機の室内機に好適な梱包装置に関する。
【０００２】
【従来の技術】
空気調和機の室内機の梱包には例えば図３に示すような梱包装置が利用されている。この梱包装置は一側に空気調和機の室内機２１の背面側を下にし、側方を収容・保持する凹部２２を有し、他側に把手部２３を有する一対の緩衝部材２４および２５と、これらを一式を収納するスリーブ状の外装ダンボール２６等から成り、外部にバンド２７を結束して外装ダンボ−ル２６に収納された緩衝部材２４および２５の動きを規制するようになっている。なお、緩衝部材２４および２５には例えば発泡スチロール等の合成樹脂製のもの、または、ダンボールを幾重にも重ねて形成したものが利用されている。
【０００３】
【発明が解決しようとする課題】
ところで、緩衝部材２４および２５に上記発泡スチロール等の合成樹脂製のものを用いた場合には回収に費用がかかり過ぎるなどの理由で再利用が難しく、廃棄したり焼却したりすれば環境を汚染するという問題があった。また、ダンボール製のものは前者に比べて形成が難しく、かつ、緩衝部材としての性能が劣り、底面落下等による衝撃は室内機の背面側に固定されている据付板の両端部と緩衝部材の嵌合部に集中し、据付板が変形する（曲がる）恐れがあった。そこで、従来の梱包装置では室内機背面の緩衝のため、室内機の背面側と外装ダンボール間にダンボール製の付属品箱を配置することが必要であった。また、緩衝部材２４および２５と外装ダンボールと付属品箱が別体であり、加工も複雑となる等の問題点があった。これら問題点を解決するため、特開平７−２２９０号のように一枚のダンボールで形成した梱包装置も近年では使われるようになった。しかしながらこの梱包装置は緩衝力が弱いばかりか、上下方向及び前後方向の強度も弱い等の問題点があった。したがって、本発明においては、上記問題点を解決するため、一枚のダンボールでかつ、緩衝力が強くまた、上下方向及び前後方向の強度を強化した梱包装置を提供することを目的としている。
【０００４】
【課題を解決するための手段】
本発明は上記の課題を解決するためになされたものであり、被梱包物を梱包する外装や緩衝材を一枚のダンボールで形成した梱包装置において、前記外装の底部の四方の側面の対向する一方の面に左右の側部と、対向する他方の面に前部と背部を形成し、同背部に連続して天部とフラップが設けられ、前記側部の前部側の側面には、側部の側面と長さが等しい複数の面からなる第一の緩衝部が複数の折り目線を介して連続して設けられ、背部側の側面には、略Ｌ字形で、その内角から前記側部に向かうカッティング線により分離され、側部の側面と長さが等しい複数の面と、カッテイング線で分離された側面の天部側に連続して設けられる複数の面からなる第二の緩衝部と、側部の側面と長さが等しい面と、カッティング線で分離された側面の底部側に連続して設けられる複数の面で形成される第三の緩衝部とが、それぞれ複数の折り目線を介して連続して設けられており、前記各部を折り曲げて、前記前部と前記第一の緩衝部および前記背部と第二の緩衝部とをそれぞれ固着することにより形成した構成となっている。
【０００５】
また、前記第一の緩衝部と前記第二の緩衝部を、前記被梱包物の前後方向の緩衝部とし、前記第三の緩衝部を、前記被梱包物の上下方向の緩衝部とした構成となっている。
【０００６】
また、前記第一の緩衝部と前記第三の緩衝部を合わせた前後方向の長さを、前記底部、天部及び側部の前後方向の長さと等しくした構成となっている。
【０００７】
また、前記第二の緩衝部は側部の天部側に設けられ、前記第三の緩衝部は側部の底部側に設けられた構成となっている。
【０００８】
また、前記第二の緩衝部の前後方向の長さを、第三の緩衝部の前後方向の長さより短くした構成となっている。
【０００９】
また、前記第一、第二および第三の緩衝部は、角筒状に形成された構成となっている。
【００１０】
また、前記第一の緩衝部および第二の緩衝部を付属品収納箱とした構成となっている。
【００１１】
【発明の実施の形態】
以下、本発明の一実施例を図１、図２に基づいて説明する。図１の（ａ）は本発明による梱包装置の展開図を示したものであり、外縁及び１ｋの実線はカッティング線で１ａ乃至１ｊ及び１ｌ乃至１ｒの破線は折り目線で全て谷折りとなっている。
梱包装置１に設けられた底部２の四方の側面の一方の対向する面に折り目線１ａ、１ｂをそれぞれ介して左右の側部３がを備え、もう一方の対向する面に折り目線１ｃを介して、出し入れが容易なように切欠部４ａを備えた前部４と、折り目線１ｄを介して背部５を形成し、前記背部５に連続して折り目線１ｅを介して天部６と、折り目線１ｆを介してフラップ７が設けられている。
また、前記側部３の前部側の側面に、前記側部３側面の長さが等しい８、９、１０、１１で形成される第一の緩衝部１Ａが折り目線１ｇ、１ｈ、１ｉ、１ｊを介して連続して設けられている。また、前記側部３の背部側の側面には、略「Ｌ」字形をした緩衝部１Ｂが設けられ、前記略「Ｌ」字形の緩衝部１Ｂは前記略「Ｌ」字形の内角から側部３に向かってカッティングするカッティング線１ｋで分離される第二の緩衝部１Ｃと第三の緩衝部１Ｄで形成されている。また、前記第二の緩衝部１Ｃは、前記側部３に折り目線１ｌ、１ｍ、１ｎ、１ｏを介して、前記側部３と側面の長さが等しい１２、１３とカッティング線１ｋで分離され側面の天部側の１４、１５で連続して設けられている。更に、前記第三の緩衝部１Ｄは、前記第二の緩衝部１Ｃの１２、１３とカッティング線１ｋで分離され側面の底部側の１６、及び１７、１８で折り目線１ｍ、１ｐ、１ｑ、１ｒを介して連続して設けられている。なお、前記第二の緩衝部１Ｃと前記第三の緩衝部１Ｄの一側を兼ねた１３は、前記側部３に対して「Ｌ」字形をしており、前記１３の前記側部３からみて長辺の長さは、前記第三の緩衝部１Ｄの一側１６と同じ長さであり、これらの長さは前記第一の緩衝部１Ａの一側である８または１０の前後方向の長さと合わせた場合、前記底部２の前後方向の長さ及び前記側部３の前後方向の長さからダンボールの厚さ分引いた長さと同一になるようにしている。なお、側面は左右対象のため、片側のみの説明とする。また、前記側部３には持ち運びのための把手部３ａが前記側部３の天部６側に設けられている。
次に、本発明による梱包装置１の組立て方について、説明する。
一枚のダンボールをプレス加工等でカッティング線及び折り目線をつける。次に梱包装置１の外側の１１から順に折り目線１ｊに従って９０度に折り曲げる。因みに、折り曲げ角度は全て９０度である。図１の（ｂ）は第一の緩衝部Ａであり、１１から順に１０、９、８と折り目線１ｊ、１ｉ、１ｈ、１ｇに従って折り曲げると前記側部３の側面に第一の緩衝部Ａが形成される。図１の（ｃ）は第二の緩衝部１Ｃ、第三の緩衝部１Ｄであり、１５から順に１４、１３、１２と折り目線１ｏ、１ｎ、１ｍ、１ｌに従って折り曲げると前記側部３の側面の第一の緩衝部１Ａの対向する面の天部６側に配置される第二の緩衝部１Ｃが形成される。また、１８から順に１７、１６と折り目線１ｒ、１ｑ、１ｐに従って折り曲げると前記側部３の側面の第一の緩衝部１Ａの対向する面の底部２側に配置される第三の緩衝部１Ｄが形成される。同様に対向する側部も組み立てる。次に、フラップ７から順番に天部６、背部５と折り目線１ｆ、１ｅ、１ｄに従って折り曲げ、次に、左右の側部３、前部４を折り目線１ａ、１ｂ、１ｃに従って折り曲げる。最後に前部４と左右の前記第一の緩衝部１Ａの８及び背部５と左右の前記第二の緩衝部１Ｃの１２をステッチャー１９等で固定して梱包装置１が完成する。
図２は本発明の梱包装置の梱包方法であり、図２（ａ）は本発明の梱包装置１の被梱包物２０の収納方法である。梱包するときは、空気調和機の室内機２０の前面側を梱包装置１の前方に向け、梱包装置１の上方から、左右にそれぞれ設けられた第一の緩衝部１Ａと第二の緩衝部１Ｃの間に挟持しながら収める。収められた前記空気調和機の室内機２０は第三の緩衝部１Ｄによって支持される。また、第一の緩衝部１Ａ及び第２の緩衝部１Ｃは上部が開放した四角柱のため、収納空間として利用でき、付属品等を収納する。図２（ｃ）は梱包された状態であり、梱包装置１が開放することを前後方向のバンド２０ａにより規制している。
【００１２】
【発明の効果】
以上説明したように、本発明は、底部を中心に前部、背部、左右の側部、左右の側部に連続して緩衝部を設け、一枚のダンボールで梱包装置を形成したので加工及び搬送も容易で、また、丈夫な梱包装置が得られる。また、左右の緩衝部の上下方向の長さと前部、背部、左右の側部の上下方向の長さを同じにしたので前記緩衝部は、緩衝ばかりではなく、上下方向の梱包装置の変形も防止できる。また、一方の緩衝部を第一の緩衝部とし、対向するもう一方の緩衝部を第二、第三の緩衝部して、第二、第三の緩衝部の上下方向を接して設け、第二、第三の緩衝部の上下方向の合わせた長さが第一の緩衝部と同じにしたので、第一の緩衝部の緩衝部と合わせて、上下方向の箱の変形も防止できる。また、第二の緩衝部の長さを第三の緩衝部より短くしたので被収納物を第三の緩衝部の上部に収納できる。また第一の緩衝部の前後方向の長さと第三の緩衝部の前後方向の長さを合わせた長さが、左右の側部、天部の前後方向の長さを同じにしているので、前後方向の梱包装置の変形も防止できる。更に、第一、第三の緩衝部は上方向が開放しているので付属する付属品の付属品収納箱として利用できる。
【図面の簡単な説明】
【図１】本発明による梱包装置の展開図でる。
【図２】本発明による梱包装置の梱包図である。
【図３】本発明の梱包装置の従来例である。
【符号の説明】
１    梱包装置
１ａ〜１ｊ    折り目線
１ｋ          カッティング線
１ｌ〜１ｒ    折り目線
２    底部
３    側部
３ａ、２３    把手部
４    前部
４ａ  切欠部
５    背部
６    天部
７    フラップ
１Ａ、８、９、１０、１１        第一の緩衝部
１Ｂ          緩衝部
１Ｃ  １２、１３、１４、１５    第二の緩衝部
１Ｄ、１６、１７、１８          第三の緩衝部
１９          ステッチャー
２０、２１    空気調和機の室内機
２０ａ、２７  バンド
２２          凹部
２４、２５    緩衝部材
２６          外装ダンボール
【図１】
0004427862.tif 000002
【図２】
0004427862.tif 000003
【図３】
0004427862.tif 000004